(57)【要約】【課題】外装ケース内にバーナ、燃焼筐及び排気ダクト４を収納した燃焼装置であって、外装ケースは、ケース本体１１と前カバー１２とで構成され、排気ダクトの下流端部に、前カバーの上部に形成された排気用窓孔１２３に挿入される排気口部４１が設けられるものにおいて、ケース本体１１の上面前端と前カバー１２の上端との突合せ部１３から落下する雨水が外装ケース内で飛散することを低コストで防止できるようにする。【解決手段】排気口部４１と一体に、ケース本体１１の上面前端と前カバー１２の上端との突合せ部１３から落下する雨水を受け止めて、所定の滴下箇所に導く雨受け部４３を設ける。好ましくは、前カバー１２の排気用窓孔１２３の周縁部裏面との間にパッキン４２を挟む排気口部４１のフランジ部４１１の上端に交わるように雨受け部４３を設ける。【選択図】図３
2018035995.tif 000002
【特許請求の範囲】
【請求項１】
外装ケース内に、バーナと、バーナから噴出する混合気の燃焼空間を囲う燃焼筐と、燃焼筐から排出される燃焼排ガスが流れる排気ダクトとが収納された燃焼装置であって、外装ケースは、前面が開放された箱形のケース本体と、ケース本体の前面に取付けられる前カバーとで構成され、排気ダクトの下流端部に、前カバーの上部に形成された排気用窓孔に挿入される筒状の排気口部が設けられるものにおいて、
排気口部と一体に、ケース本体の上面前端と前カバーの上端との突合せ部から落下する雨水を受け止める雨受け部が設けられ、雨受け部は、受け止めた雨水を所定の滴下箇所に導いて滴下させるように形成されることを特徴とする燃焼装置。
【請求項２】
前記排気口部の基端部に、前記前カバーの前記排気用窓孔の周縁部裏面に対向するフランジ部が形成されて、前カバーの排気用窓孔の周縁部裏面とフランジ部との間にパッキンが装着され、排気口部の基端部上面に位置するフランジ部の部分の上端に交わるように前記雨受け部が設けられることを特徴とする請求項１記載の燃焼装置。
【請求項３】
前記排気口部は、前記排気ダクトのダクト本体とは別体であって、ダクト本体の下流端部に着脱自在に取付けられることを特徴とする請求項１又は２記載の燃焼装置。
【発明の詳細な説明】
【技術分野】
【０００１】
本発明は、外装ケース内に、バーナと、バーナから噴出する混合気の燃焼空間を囲う燃焼筐と、燃焼筐から排出される燃焼排ガスが流れる排気ダクトとが収納された燃焼装置に関する。
【背景技術】
【０００２】
従来、この種の燃焼装置として、外装ケースを、前面が開放された箱形のケース本体と、ケース本体の前面に取付けられる前カバーとで構成し、排気ダクトの下流端部に、前カバーの上部に形成された排気用窓孔に挿入される筒状の排気口部を設けたものが知られている。ここで、燃焼装置を屋外に設置した場合、ケース本体の上面前端と前カバーの上端との突合せ部から雨水が侵入することがある。そして、この雨水が排気ダクトの排気口部の近傍部分の上面に落下し、排気ダクトを伝って雨水が外装ケース内に飛散して、外装ケース内の電装品に悪影響を与えることがある。
【０００３】
そこで、従来、特許文献１により、外装ケース内に、排気ダクトより上方に位置させて、ケース本体の上面前端と前カバーの上端との突合せ部から落下した雨水を受け止める前下りに傾斜した庇部材を設けたものが知られている。これによれば、上記突合せ部から落下した雨水は、庇部材を介して前カバーの裏面側に流れ、前カバーの裏面を伝って流下して、外装ケース内への雨水の飛散が防止される。
【０００４】
然し、このものでは、外装ケースとは別体の庇部材が必要で、コスト高になる不具合がある。
【先行技術文献】
【特許文献】
【０００５】
【特許文献１】特開２００７−１５５１３８号公報
【発明の概要】
【発明が解決しようとする課題】
【０００６】
本発明は、以上の点に鑑み、ケース本体の上面前端と前カバーの上端との突合せ部から落下する雨水が外装ケース内で飛散することを防止できるようにした低コストの燃焼装置を提供することをその課題としている。
【課題を解決するための手段】
【０００７】
上記課題を解決するために、本発明は、外装ケース内に、バーナと、バーナから噴出する混合気の燃焼空間を囲う燃焼筐と、燃焼筐から排出される燃焼排ガスが流れる排気ダクトとが収納された燃焼装置であって、外装ケースは、前面が開放された箱形のケース本体と、ケース本体の前面に取付けられる前カバーとで構成され、排気ダクトの下流端部に、前カバーの上部に形成された排気用窓孔に挿入される筒状の排気口部が設けられるものにおいて、排気口部と一体に、ケース本体の上面前端と前カバーの上端との突合せ部から落下する雨水を受け止める雨受け部が設けられ、雨受け部は、受け止めた雨水を所定の滴下箇所に導いて滴下させるように形成されることを特徴とする。
【０００８】
本発明によれば、ケース本体の上面前端と前カバーの上端との突合せ部から落下する雨水は雨受け部により所定の滴下箇所に導かれて滴下する。従って、滴下箇所から滴下する水が外装ケース内に飛散することなく外装ケース外に排水されるように滴下箇所を設定しておけば、ケース本体の上面前端と前カバーの上端との突合せ部から落下する雨水が外装ケース内で飛散することを確実に防止できる。
【０００９】
また、本発明においては、排気口部の基端部に、前カバーの排気用窓孔の周縁部裏面に対向するフランジ部が形成されて、前カバーの排気用窓孔の周縁部裏面とフランジ部との間にパッキンが装着され、排気口部の基端部上面に位置するフランジ部の部分の上端に交わるように雨受け部が設けられることが望ましい。これによれば、パッキンの劣化等で排気用窓孔からパッキンの上部上面に雨水が流れ込んでも、この雨水はフランジ部の上端に交差する雨受け部に乗り上げて所定の滴下箇所に導かれる。従って、パッキンの上部上面に流れ込んだ雨水がフランジ部の上端を乗り越えて外装ケース内に飛散することを防止できる。
【００１０】
また、本発明において、排気口部は、排気ダクトのダクト本体とは別体であって、ダクト本体の下流端部に着脱自在に取付けられることが望ましい。ここで、排気口部は、排気用窓孔を通して外部環境に晒されるため傷みやすいが、排気口部の損傷を生じても、排気ダクト全体ではなく、排気口部のみを交換することで対処でき、メンテナンス費用の削減を図ることができる。
【図面の簡単な説明】
【００１１】
【図１】本発明の実施形態の燃焼装置の斜視図。
【図２】実施形態の燃焼装置の切断側面図。
【図３】実施形態の燃焼装置の要部の拡大切断側面図。
【図４】図３のＩＶ−ＩＶ線で切断した断面図。
【図５】実施形態の燃焼装置の前カバーの裏側から見た斜視図。
【図６】実施形態の燃焼装置のダクト本体と排気口部との分離状態の斜視図。
【発明を実施するための形態】
【００１２】
図１、図２を参照して、本発明の実施形態の燃焼装置は、外装ケース１内に、混合気を下向きに噴出するバーナ２と、バーナ２から噴出する混合気の燃焼空間を囲うバーナ２の下側の燃焼筐３と、燃焼筐３から排出される燃焼排ガスが流れる排気ダクト４とが収納されている。
【００１３】
バーナ２は、下向きに開口する箱形のバーナボディ２１と、バーナボディ２１の下向きの開口面を覆う燃焼板２２とを備えている。バーナボディ２１には、図示省略した燃焼ファンを介して燃料ガスと一次空気との混合気が供給され、この混合気が燃焼板２２に設けた混合気噴出部２２ａから下向きに噴出して全一次燃焼（二次空気を必要としない燃焼）する。
【００１４】
燃焼筐３は、上端部がバーナボディ２１の下面周縁部に締結される上下両面が開放された上部筐３１と、上部筐３１の下端に締結される偏平な皿状の中間筐３２と、中間筐３２の底板部に締結される上板部を有する上下両面が閉塞された下部筐３３とで構成されている。中間筐３２の底板部及び下部筐３３の上板部の前部には、中間筐３２の内部空間と下部筐３３の内部空間とを連通する通気口３４が設けられ、更に、下部筐３３の後面には流出口３５が開設されている。そして、燃焼排ガスが上部筐３１内から中間筐３２内と通気口３４と下部筐３３内と流出口３５とを介して排気ダクト４に流れるようにしている。
【００１５】
上部筐３１内には、多数の吸熱フィン３６ａとこれら吸熱フィン３６ａを貫通する複数本の吸熱パイプ３６ｂとから成るフィンアンドチューブ型の主熱交換器３６が配置されている。また、下部筐３３内には、前後方向に蛇行してのびる上下複数本の吸熱パイプ３７ａから成る潜熱回収型の副熱交換器３７が配置されている。そして、水が副熱交換器３７で加熱された後、主熱交換器３６で更に加熱され、設定湯温の温水となって給湯端末に供給されるようにしている。
【００１６】
外装ケース１は、前面が開放された箱形のケース本体１１と、ケース本体１１の前面に着脱自在に取付けられる前カバー１２とで構成されている。前カバー１２の前面下部と下端の折り曲げ部とには給気孔１２１が形成されており、これら給気孔１２１から燃焼ファンの吸引力で外装ケース１内に空気が吸い込まれる。また、前カバー１２の裏面に、その下端から所定高さに亘り、給気孔１２１から吸込まれた空気が流れる給気通路を前カバー１２との間に画成する防雨板１２２が取付けられている。そして、給気孔１２１から吸込まれた空気に含まれる雨水が防雨板１２２に衝突して分離され、給気孔１２１から外装ケース１外に排水されるようにしている。
【００１７】
排気ダクト４は、燃焼筐３の後側でバーナ２の上方位置までのびてから前方に屈曲している。そして、排気ダクト４の下流端部、即ち、前方への屈曲部の前端部に、前カバー１２の上部に形成された排気用窓孔１２３に挿入される筒状の排気口部４２を設けている。また、排気口部４２の基端部には、図３に明示する如く、前カバー１２の排気用窓孔１２３の周縁部裏面に対向するフランジ部４２１が形成されている。そして、排気用窓孔１２３からの外装ケース１内への雨水の侵入を防止するため、前カバー１２の排気用窓孔１２３の周縁部裏面とフランジ部４２１との間にパッキン４３を装着している。然し、パッキン４３の劣化等で、排気用窓孔１２３から侵入した雨水がパッキン４３の下部下面から落下する恐れがある。
【００１８】
また、ケース本体１１の上面前端と前カバー１２の上端との突合せ部１３は、ケース本体１１の上面前端に曲成した垂下フランジ部１３１と前カバー１２の上端部内面に固定したアングル材の垂下フランジ部１３２とをパッキン１３３を介して突合せると共に、前カバー１２の上端の折り曲げ部の後縁部１３４をケース本体１１の上面前縁部の上に重ね合せた構造になっている。然し、これでも、突合せ部１３から雨水が外装ケース１内に落下する恐れがある。
【００１９】
そこで、前カバー１２の裏面に、図３乃至図５に示す如く、排気用窓孔１２３より下方で且つ防雨板１２２の上端より上方に位置させて、横方向に延在する樋部材１２４を取付けている。樋部材１２４は、突合せ部１３の直下位置よりも後方に張出すと共に、前下がりで且つ図４、図５で右下がりに傾斜している。これによれば、排気用窓孔１２３から侵入した雨水がパッキン４３の下部下面から落下しても、この雨水は樋部材１２４で受け止められて、樋部材１２４の右端から前カバー１２と防雨板１２２との間の隙間に落下し、給気孔１２１から排水される。更に、ケース本体１１の上面前端と前カバー１２の上端との突合せ部１３から落下した雨水のうち排気ダクト４に当たらなかったものは、樋部材１２４で受け止められて、上記と同様に樋部材１２４の右端から前カバー１２と防雨板１２２との間の隙間に落下する。一方、ケース本体１１の上面前端と前カバー１２の上端との突合せ部１３から落下した雨水のうち排気ダクト４に当たったものは、排気ダクト４を伝って外装ケース１内に飛散する可能性がある。
【００２０】
そのため、本実施形態では、排気口部４２と一体に、ケース本体１１の上面前端と前カバー１２の上端との突合せ部１３から落下した雨水を受け止める雨受け部４４を設けている。より具体的には、排気口部４２の基端部上面に位置するフランジ部４２１の部分の上端に交差するように雨受け部４４を設けている。雨受け部４４の後縁は、突合せ部１３の直下位置より後方に位置し、雨受け部４４の前縁は、前カバー１２から若干離れた部分に位置している。そして、雨受け部４４の後縁と左右両側縁とに堤部４４１を形成すると共に、左右両側部に前方が開放された溝部４４２を形成している。
【００２１】
これによれば、排気ダクト４の真上に位置する突合せ部１３の部分から落下する雨水は、雨受け部４４で受け止められ、所定の滴下箇所たる雨受け部４４の左右の各溝部４４２の前端に導かれてそこから滴下する。そして、各溝部４４２の前端から滴下した雨水は樋部材１２４で受け止められて、その右端から前カバー１２と防雨板１２２との間の隙間に落下し、突合せ部１３から落下する雨水が外装ケース１内に飛散することを防止できる。更に、パッキン４３の劣化等で排気用窓孔１２３からパッキン４３の上部上面に雨水が流れ込んでも、この雨水はフランジ部４２１の上端に交差する雨受け部４４に乗り上げて、その左右の各溝部４４２の前端から滴下し、樋部材１２４を介して防雨板１２２との間の隙間に落下する。従って、パッキン４３の上部上面に流れ込んだ雨水がフランジ部４２１の上端を乗り越えて外装ケース１内に飛散することを防止できる。
【００２２】
ところで、排気口部４２は、排気用窓孔１２３を通して外部環境に晒されるため傷みやすい。そこで、排気口部４２を排気ダクト４のダクト本体４１とは別体として、ダクト本体４１の下流端部に排気口部４２を着脱自在に取付けている。これによれば、排気口部４２の損傷を生じても、排気ダクト４全体ではなく、排気口部４２のみを交換することで対処でき、メンテナンス費用の削減を図ることができる。
【００２３】
尚、本実施形態では、図３、図６に示す如く、ダクト本体４１の下流端部に、排気口部４２のフランジ部４２１にパッキン４１２を介して当接するフランジ部４１１と、フランジ部４１１から前方に突出して排気口部４２に内嵌する先端筒部４１３と、フランジ部４１１から後方に若干のびる上下のリブ４１４，４１５とを形成している。また、排気口部４２に、雨受け部４４よりも後方にのびて、ダクト本体４１の下流端部上面のリブ４１４の後端に係合する上爪部４２２と、排気口部４２の下面のフランジ部４２１の部分から後方にのびて、ダクト本体４１の下流端部下面のリブ４１５の後端に係合する下爪部４２３とを形成している。そして、上下の爪部４２２，４２３を上下のリブ４１４，４１５の後端に係合させることで、排気口部４２がダクト本体４１の下流端部に着脱自在に取付けられるようにしている。
【００２４】
以上、本発明の実施形態について図面を参照して説明したが、本発明はこれに限定されない。例えば、上記実施形態では、雨受け部４４の左右の各溝部４４２の前端から樋部材１２４上に滴下するようにしたが、雨受け部４４の所定の滴下箇所に排水ホースを接続して、排水ホースに雨水を滴下させることも可能である。また、上記実施形態は、バーナ２として、混合気を下向きに噴出するものを用いているが、混合気を上向きに噴出するバーナを用い、燃焼筐の上部に接続される排気ダクトを介して燃焼排ガスを排出するようにした燃焼装置にも同様に本発明を適用できる。
【符号の説明】
【００２５】
１…外装ケース、１１…ケース本体、１２…前カバー、１２３…排気用窓孔、１３…ケース本体の上面前端と前カバーの上端との突合せ部、２…バーナ、３…燃焼筐、４…排気ダクト、４１…ダクト本体、４２…排気口部、４２１…フランジ部、４３…パッキン、４４…雨受け部。
【図１】
2018035995.tif 000003
【図２】
2018035995.tif 000004
【図３】
2018035995.tif 000005
【図４】
2018035995.tif 000006
【図５】
2018035995.tif 000007
【図６】
2018035995.tif 000008